(57)【要約】      （修正有）【課題】飼い主が簡便な操作でペットの糞便を拾い上げて容易に密封可能なペット用トイレ袋を提供する。【解決手段】本発明によるペット用トイレ袋１は、袋体１０上に、密閉辺１１、密閉辺１１の位置と相対する側に開口１２、および、開口１２と連通する収容空間を有し、さらに、開口１２部分に結束構造１４を設置し、密閉辺１１に凹部１１０を形成している。結束構造１４は、開口１２から延伸する第一部分１４０、および、開口１２から延伸し、且つ、第一部分１４０と結束される第二部分１４１を有する。これにより、飼い主は、手を袋体の収容空間に挿入して、凹部１１０によって糞便を拾い上げ、その後、糞便を包むように、袋体１０を裏返して、最後に、第一部分１４０と第二部分１４１を結束すれば、ペットの糞便がトイレ袋中で密封される。【選択図】図１
2018110564.tif 000002
【特許請求の範囲】
【請求項１】
袋体からなるペット用トイレ袋であって、
前記袋体が、密閉辺および前記密閉辺の位置と相対する側に開口を備えたものであり、前記開口と連通する収容空間を有し、前記開口に結束構造を設置し、前記結束構造は、前記開口から延伸する第一部分および前記開口から延伸し、且つ、前記第一部分と結束される第二部分を有することを特徴とするペット用トイレ袋。
【請求項２】
前記結束構造は、第一ミシン目と第二ミシン目を有し、前記第一ミシン目は、横向きに、前記袋体に形成され、且つ、前記開口に隣接して並列に設置され、前記第一ミシン目両端は、前記袋体両側辺に接続されてなく、前記第二ミシン目は、前記第一ミシン目と前記開口の間に形成され、前記第二ミシン目両端は、それぞれ、前記第一ミシン目と前記開口に接続されていることを特徴とする請求項１に記載のペット用トイレ袋。
【請求項３】
前記第一部分と前記第二部分は、前記第一ミシン目と前記第二ミシン目を切り開いて形成されることを特徴とする請求項２に記載のペット用トイレ袋。
【請求項４】
袋体からなるペット用トイレ袋であって、
前記袋体が、密閉辺および前記密閉辺の位置と相対する側に開口を備えたものであり、前記開口と連通する収容空間を有し、前記密閉辺に凹部を形成してなることを特徴とするペット用トイレ袋。
【発明の詳細な説明】
【技術分野】
【０００１】
本発明は、トイレ袋に関するものであり、さらに詳しくは、ペット用トイレ袋に関するものである。
【背景技術】
【０００２】
ペットの散歩時、マナーとして、飼い主は、糞便を処理するが、その処理の方法は、多くが、新聞紙やビニール袋で糞便を拾うもので、環境汚染問題は減少するが、包まれた糞便は密閉が十分ではなく、臭いが漏れるなどの問題があり、改善が切望されていた。
【発明の概要】
【発明が解決しようとする課題】
【０００３】
従って、本発明の課題は、飼い主が簡便な操作でペットの糞便を拾い上げて、容易に密封可能なペット用トイレ袋を提供することにある。
【０００４】
すなわち、本発明の目的は、ペット用トイレ袋を提供し、飼い主は、手を袋体の収容空間に挿入して、凹部によって糞便を拾い上げ、その後、糞便を包むように、袋体を裏返して、最後に、第一部分と第二部分を結んで、ペットの糞便をトイレ袋中で密封することができるようにすることにある。
【課題を解決するための手段】
【０００５】
そこで、本発明者は、前記の本発明の課題を解決するため鋭意検討を重ねた結果、袋体に手を挿入できる収容空間と糞便を拾い上げる凹部とを設けた袋体であって、拾い上げた糞便を袋体に包み込み密封可能とすることにより、前記課題を解決できることに着目し、かかる知見に基いて本発明の想到に至った。
【０００６】
すなわち、上述の目的を達成するため、本発明のペット用トイレ袋は、密閉辺、および、密閉辺の位置と相対する側に開口を有する袋体からなる。袋体は、開口と連通する収容空間を有し、開口に結束構造を形成したものである。結束構造は、開口から延伸する第一部分、および、開口から延伸し、且つ、第一部分と結ぶ第二部分を有する。
かくして、本発明の要旨は、次の（１）〜（４）に記載の通りのものである。
【０００７】
（１）袋体からなるペット用トイレ袋であって、
前記袋体が、密閉辺および前記密閉辺の位置と相対する側に開口を備えたものであり、前記開口と連通する収容空間を有し、前記開口に結束構造を設置し、前記結束構造は、前記開口から延伸する第一部分および前記開口から延伸し、且つ、前記第一部分と結束される第二部分を有することを特徴とするペット用トイレ袋。
【０００８】
（２）前記結束構造は、第一ミシン目と第二ミシン目を有し、前記第一ミシン目は、横向きに、前記袋体に形成され、且つ、前記開口に隣接して並列に設置され、前記第一ミシン目両端は、前記袋体両側辺に接続されてなく、前記第二ミシン目は、前記第一ミシン目と前記開口の間に形成され、前記第二ミシン目両端は、それぞれ、前記第一ミシン目と前記開口に接続されていることを特徴とする前記（１）に記載のペット用トイレ袋。
【０００９】
（３）前記第一部分と前記第二部分は、前記第一ミシン目と前記第二ミシン目を切り開いて形成されることを特徴とする前記（２）に記載のペット用トイレ袋。
【００１０】
（４）袋体からなるペット用トイレ袋であって、
前記袋体が、密閉辺および前記密閉辺の位置と相対する側に開口を備えたものであり、前記開口と連通する収容空間を有し、前記密閉辺に凹部を形成してなることを特徴とするペット用トイレ袋。
【発明の効果】
【００１１】
本発明は、前記の通りの構成からなるものであり、ペットの糞便が簡単にトイレ袋中で密封することができるという効果を奏することができる。
【図面の簡単な説明】
【００１２】
【図１】本発明の一実施形態に係るペット用トイレ袋の斜視図である。
【図２】本発明の一実施形態に係るペット用トイレ袋による糞便をつかみとる状況を示す図である。
【図３】本発明の一実施形態に係るペット用トイレ袋の袋体を裏返す状況を示す図である。
【図４】本発明の一実施形態に係るペット用トイレ袋のミシン目の使用方法を示す図である。
【図５】本発明の一実施形態に係るペット用トイレ袋の第一部分と第二部分を結束させた使用状態を示す図である。
【発明を実施するための形態】
【００１３】
図１は、本発明の一実施形態に係るペット用トイレ袋の斜視図である。本発明によるペット用トイレ袋１は、袋体１０上に、密封辺１１、密封辺１１位置と相対する側に開口１２、および、開口１２と連通する収容空間１３を有する。開口１２に、結束構造１４を設置し、密封辺１１には、凹部１１０を形成している。結束構造１４は、開口１２から延伸する第一部分１４０、および、開口１２から延伸し、且つ、第一部分１４０と結束される第二部分１４１を有する。
【００１４】
結束構造１４は、第一ミシン目１４２と第二ミシン目１４３を設け、第一ミシン目１４２は、横向きに袋体１０に形成され、且つ、開口１２に隣接して並列に設置される。第一ミシン目１４２両端は、袋体１０両側辺に接続していない。第二ミシン目１４３は、第一ミシン目１４２と開口１２の間に形成され、第二ミシン目１４３両端は、それぞれ、第一ミシン目１４２、および、開口１２に接続している。第一部分１４０と第二部分１４１は、第一ミシン目１４２と第二ミシン目１４３を切り取って形成される。
【００１５】
図２から図５は、それぞれ、本発明によるトイレ袋の使用状態を示す図であり、図２は、糞便をつかみとる状況、図３は、袋体を裏返す状況、図４は、ミシン目の使用方法、図５は、第一部分と第二部分を結束させる使用状態を示す図である。トイレ袋１は、一枚ずつ繋がってロール状に巻かれてなり、使用時に、トイレ袋１の密封辺１１を次のトイレ袋１の開口１２から切り離して使用する。ペットの糞便をつかみ取る時、飼い主は、手を開口１２から収容空間１３に挿入し、手のひらを密封辺１１上の凹部１１０に対応させ、凹部１１０を利用すると、飼い主がペットの糞便に照準させてつかみやすい。
【００１６】
ペットの糞便をつかみ取った後、袋体１０を裏返し、本来は手のひらを挿入していた収容空間１３が開放空間となり、ペットの糞便が袋体１０内に収まる。飼い主は、第一ミシン目１４２と第二ミシン目１４３に沿って切り、この時、開口１２が、第一部分１４０と第二部分１４１を形成し、最後に、第一部分１４０と第二部分１４１を結ぶと、ペットの糞便がトイレ袋中で密封される。
【００１７】
別の方法では、飼い主は、第一ミシン目１４２と第二ミシン目１４３に沿って切り、この時、第一部分１４０と第二部分１４１が形成される。手のひらを収容空間１３に挿入して、ペットの糞便をつかみ取り、その後、袋を裏返しにして、ペットの糞便を入袋後、さらに、第一部分１４０と第二部分１４１を結ぶと、ペットの糞便がトイレ袋中で密封される。
【００１８】
本発明によると、第一部分１４０と第二部分１４１により、ペットの糞便が簡単にトイレ袋中で密封でき、ビニール袋口の上方二個の角を結ぶ従来のトイレ袋のような、密封ができず、また、結びにくいという問題を改善することができる。
【符号の説明】
【００１９】
トイレ袋      １
袋体          １０
密閉辺        １１
凹部          １１０
開口          １２
収容空間      １３    
結束構造      １４
第一部分      １４０
第二部分      １４１
第一ミシン目  １４２
第二ミシン目  １４３
【図１】
2018110564.tif 000003
【図２】
2018110564.tif 000004
【図３】
2018110564.tif 000005
【図４】
2018110564.tif 000006
【図５】
2018110564.tif 000007